(57)【要約】【課題】タブレットとカードリーダー及びＵＳＢハブを結合させた装置の提供。【解決手段】タブレット、カードリーダー及びＵＳＢハブの三者を整合させた結合装置とされ、使用者がこれら三種類の電子製品を購入したい時、低価格で三者の結合装置を購入できるように、さらに体積の小さい一体式装置として形成され、使用者の携帯に便利とされ、使用時に三者がいずれもＵＳＢインタフェースを使用し、且つ僅かに一つのＵＳＢプラグが延伸されているだけのため、コンピュータ後方に挿入された時、コンピュータＵＳＢ連接ポートに挿入される数量を減らせ、並びに三者を駆動して動作させられ、周知の独立製品を個別に挿入する時間と駆動時間を節約できる。【選択図】　　　　図１
0003097031.tif 000002
【実用新案登録請求の範囲】
【請求項１】
タブレットとカードリーダー及びＵＳＢハブを結合させた装置において、該タブレットとカードリーダー及びＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該カードリーダーは、ケースに設置された少なくとも一つのスロットを具え、該スロットにメモリカードが挿入され、且つ電気的連接端がＵＳＢハブにビルトインされた拡充ソケットに挿入され、
該タブレットは、該結合装置のケース上面に設置され、電気的連接端がＵＳＢハブにビルトインされた拡充ソケットに挿入され、
以上を特徴とする、タブレットとカードリーダー及びＵＳＢハブを結合させた装置。
【請求項２】
請求項１に記載のタブレットとカードリーダー及びＵＳＢハブを結合させた装置において、該カードリーダーがコンパクトフラッシュ（登録商標）カード、スマートメディア（登録商標）カード、ＳＤカード（登録商標）、マルチメディアカード、メモリースティックカードのいずれかの挿入に供されるとされたことを特徴とする、タブレットとカードリーダー及びＵＳＢハブを結合させた装置。
【請求項３】
請求項１に記載のタブレットとカードリーダー及びＵＳＢハブを結合させた装置において、タブレットがライトライトペンと組み合わされ、使用者による手書き入力に供されることを特徴とする、タブレットとカードリーダー及びＵＳＢハブを結合させた装置。
【請求項４】
タブレットとＵＳＢハブを結合させた装置において、
該タブレットとＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該タブレットは、該結合装置のケース上面に設置され、電気的連接端がＵＳＢハブにビルトインされた拡充ソケットに挿入され、
以上を特徴とする、タブレットとＵＳＢハブを結合させた装置。
【請求項５】
請求項４に記載のタブレットとＵＳＢハブを結合させた装置において、タブレットがライトライトペンと組み合わされ、使用者による手書き入力に供されることを特徴とする、タブレットとＵＳＢハブを結合させた装置。
【請求項６】
カードリーダーとＵＳＢハブを結合させた装置において、
該カードリーダー及びＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該カードリーダーは、ケースに設置された少なくとも一つのスロットを具え、該スロットにメモリカードが挿入され、且つ電気的連接端がＵＳＢハブにビルトインされた拡充ソケットに挿入され、
以上を特徴とする、カードリーダーとＵＳＢハブを結合させた装置。
【請求項７】
請求項６に記載のカードリーダーとＵＳＢハブを結合させた装置において、該カードリーダーがコンパクトフラッシュ（登録商標）カード、スマートメディア（登録商標）カード、ＳＤカード（登録商標）、マルチメディアカード、メモリースティックカードのいずれかの挿入に供されるとされたことを特徴とする、カードリーダーとＵＳＢハブを結合させた装置。
【考案の詳細な説明】
【０００１】
【考案の属する技術分野】
本考案はタブレットとカードリーダー及びＵＳＢハブを結合させた装置に関する。
【０００２】
【従来の技術】
コンピュータの応用は広範であり、且つ各家庭及び企業に深く入り込み、現代人の仕事及び生活中において不可欠の電子製品となっている。文献やデータの記録を挙げると、昔はデータを手書き或いは印刷の方式で紙に記録していたが、時間が経つと紙が虫やネズミに食われたりしてデータの価値が失われることがあった。しかし現在ではコンピュータの出現以降、全ての入力される文字或いはイメージデータはいずれもコンピュータの内部の保存装置（例えばフレキシブルディスク、ハードディスク、コンパクトディスク）に有効に保存され、近年では外接式のメモリカードが流行し、また、カードリーダーがコンピュータとのコミュニケーションインタフェースとされて小さく携帯できる保存装置とされている。これにより価値のあるデータを長期に保存できるようになった。
【０００３】
一般にコンピュータへの文字入力の方法として最もよく使用されるのはキーボードによる入力であるが、例えば漢字には多くの変化があり、このため全てのコンピュータの中国語文字入力法にはそれぞれが長所と短所を有している。例えば発音入力法は台湾人の入力習慣に符合するが、それは同音異義語が非常に多く、同音の文字から選択する時間が長くかかりすぎ、快速入力法とはいえない。その他の快速入力法は、入力法に必要な文字の構成部分を覚えなければならず、非常に面倒であり、使用者があきらめてしまうため、普及しにくい。市場では消費者の要求に応え、タブレットが提供されており、それはタブレットに手書きした文字について、コンピュータが最も近い文字を選択して入力し、且つその入力速度は一般に発音入力法より速く、ゆえに一部の人にとっては慣用の文字入力方式となっている。
【０００４】
さらに、ディジタルカメラの流行により、カードリーダーとメモリカードはいずれも市場の注目商品となっており、コンパクトなコンピュータデータ保存媒体とされる。カードリーダーとコンピュータの連接インタフェースの多くはＵＳＢとされ、ＵＳＢインタフェースはプラグアンドプレイの機能を具え、コンピュータに随時抜き差しでき、極めて高い実用性を有し、且つその伝送速度は伝統的なコンピュータインタフェース（ＲＳ２３２、ＰＳ２等）より速く、ゆえにＵＳＢを連接インタフェースとする電子装置はますます多くなっている。このためＵＳＢインタフェースを採用したハブもまた対応して発生し、コンピュータに二つしかないＵＳＢインタフェース連接ポートの不足を解決している。
【０００５】
【考案が解決しようとする課題】
上述のタブレットとカードリーダー及びＵＳＢハブはすでに現代人がコンピュータを使用する時の極めて良好な補助工具となっている。しかしそれぞれを携帯する時、極めて大きな体積空間を占有する。本考案はこれら三種類の電子製品を整合させた結合装置を提供し、それは、有効に個別に携帯する面倒を減らし、また、三種類の電子製品の部品に共同使用する部品があるため、生産時にコストを減らせ、これにより個別に購入するコストを減らすことができ、このように、独立した三種類の製品では達成できない効果を達成するものとされる。
【０００６】
本考案の主要な目的は、一種のタブレットとカードリーダー及びＵＳＢハブを結合させた装置を提供することにあり、それは、タブレットとカードリーダー及びＵＳＢハブの三者を結合させることにより、使用者が同時に三種類の電子製品を購入したい時に、低価格で三者の結合装置を購入でき、さらに体積の小さい一体式装置として形成され、使用者の携帯に便利とされ、使用時に三者がいずれもＵＳＢインタフェースを使用し、且つ僅かに一つのＵＳＢプラグが延伸されているだけのため、コンピュータ後方に挿入された時、コンピュータＵＳＢ連接ポートに挿入される数量を減らせ、並びに三者を駆動して動作させられ、周知の独立製品を個別に挿入する時間と駆動時間を節約できるものとされる。
【０００７】
本考案の別の目的は、タブレットとＵＳＢハブを結合させた装置を提供することにあり、それは、使用者がこの二種類の電子製品を購入したい時、低価格で両者の結合装置を購入でき、さらに体積の小さい一体式装置として形成され、使用者の携帯に便利であるものとされる。
【０００８】
本考案のさらに別の目的は、カードリーダーとＵＳＢハブを結合させた装置を提供することにあり、それは、使用者がこの二種類の電子製品を購入したい時、低価格で両者の結合装置を購入でき、さらに体積の小さい一体式装置として形成され、使用者の携帯に便利であるものとされる。
【０００９】
【課題を解決するための手段】
請求項１の考案は、タブレットとカードリーダー及びＵＳＢハブを結合させた装置において、該タブレットとカードリーダー及びＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該カードリーダーは、ケースに設置された少なくとも一つのスロットを具え、該スロットにメモリカードが挿入され、且つ電気的連接端がＵＳＢハブにビルトインされた拡充ソケットに挿入され、
該タブレットは、該結合装置のケース上面に設置され、電気的連接端がＵＳＢハブにビルトインされた拡充ソケットに挿入され、
以上を特徴とする、タブレットとカードリーダー及びＵＳＢハブを結合させた装置としている。
請求項２の考案は、請求項１に記載のタブレットとカードリーダー及びＵＳＢハブを結合させた装置において、該カードリーダーがコンパクトフラッシュ（登録商標）カード、スマートメディア（登録商標）カード、ＳＤカード（登録商標）、マルチメディアカード、メモリースティックカードのいずれかの挿入に供されるとされたことを特徴とする、タブレットとカードリーダー及びＵＳＢハブを結合させた装置としている。
請求項３の考案は、請求項１に記載のタブレットとカードリーダー及びＵＳＢハブを結合させた装置において、タブレットがライトライトペンと組み合わされ、使用者による手書き入力に供されることを特徴とする、タブレットとカードリーダー及びＵＳＢハブを結合させた装置としている。
請求項４の考案は、タブレットとＵＳＢハブを結合させた装置において、
該タブレットとＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該タブレットは、該結合装置のケース上面に設置され、電気的連接端がＵＳＢハブにビルトインされた拡充ソケットに挿入され、
以上を特徴とする、タブレットとＵＳＢハブを結合させた装置としている。
請求項５の考案は、請求項４に記載のタブレットとＵＳＢハブを結合させた装置において、タブレットがライトライトペンと組み合わされ、使用者による手書き入力に供されることを特徴とする、タブレットとＵＳＢハブを結合させた装置としている。
請求項６の考案は、カードリーダーとＵＳＢハブを結合させた装置において、該カードリーダー及びＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該カードリーダーは、ケースに設置された少なくとも一つのスロットを具え、該スロットにメモリカードが挿入され、且つ電気的連接端がＵＳＢハブにビルトインされた拡充ソケットに挿入され、
以上を特徴とする、カードリーダーとＵＳＢハブを結合させた装置としている。
請求項７の考案は、請求項６に記載のカードリーダーとＵＳＢハブを結合させた装置において、該カードリーダーがコンパクトフラッシュ（登録商標）カード、スマートメディア（登録商標）カード、ＳＤカード（登録商標）、マルチメディアカード、メモリースティックカードのいずれかの挿入に供されるとされたことを特徴とする、カードリーダーとＵＳＢハブを結合させた装置としている。
【００１０】
【考案の実施の形態】
図１は本考案のタブレットとカードリーダー及びＵＳＢハブを結合させた装置の斜視図である。該結合装置のケース１０の上方にタブレット１１が設けられ、その電気的連接端がＵＳＢハブの拡充ソケット（図２中に表示）に挿入され、且つタブレット１１にライトペン１２が組みあわされて、使用者がタブレット１１で手書き入力するのに供される。ケース１０の適当な部分に、複数のＵＳＢソケットが設けられ、その他のＵＳＢインタフェースを使用する電子装置の挿入に供される。さらにケース１０の適当な部分にカードリーダースロット１４が設けられ、少なくとも一種類のメモリカードの挿入に供され、且つその電気的連接端がＵＳＢハブの拡充ソケット（図２中に表示）に挿入される。該メモリカードの種類は、コンパクトフラッシュ（登録商標）カード、スマートメディア（登録商標）カード、ＳＤカード（登録商標）、マルチメディアカード、メモリースティックカードのいずれか、或いはその他の携帯式のメモリカードとされ、いずれも本考案の応用範囲に属する。且つケース１０の適当な部分よりＵＳＢプラグ１５が延伸されて、コンピュータ背面のＵＳＢインタフェース拡充ソケット（図示せず）との連接に供され、こうしてスリーインワンタイプの結合装置が形成されている。
【００１１】
図２は本考案のタブレットとカードリーダー及びＵＳＢハブを結合させた装置の連接構造の機能ブロック図である。そのうち、ＵＳＢハブ２は本実施例では、四個のＵＳＢインタフェース出力連接ポートを具えたハブとされ、該四つのＵＳＢインタフェース出力連接ポートは二つの内接ポート２１及び二つの外接ポート２２を具え、そのうち該二つの内接ポート２１がＵＳＢインタフェースのタブレット３及びカードリーダー４を電気的に連接させ、並びにタブレット３とカードリーダー４の必要とする電源と駆動信号を提供する。二つの外接ポート２２は図１に示されるＵＳＢソケット１３とされ、他のＵＳＢインタフェースの電子装置の挿入に供され、こうして多機能装置が形成されている。
【００１２】
図３、４、５、６、７、８に示されるのは、それぞれＵＳＢハブ、カードリーダー及びタブレットの詳細な電気回路図であり、本考案が確実に実行できる装置であることを実証するものである。本考案は前述のスリーインワンタイプの装置のほか、タブレットとＵＳＢハブのツーインワンタイプの装置、或いはカードリーダーとＵＳＢハブのツーインワンタイプの装置とされうる。ゆえに本考案は図１及び図２に示されるスリーインワンタイプの装置に限定されるわけではなく、それから延伸された多種類のツーインワン装置として実施可能で、これらも本考案の請求範囲に属するものとされる。
【００１３】
総合すると、本考案の構造の特徴及び各実施例はいずれも詳細に表示され、十分に本考案が目的及び機能上、実施上の進歩性、産業上の利用価値を有することを示している。本考案の構造は未公開であり、新規性を有しており、ゆえに、本考案は実用新案登録の要件を具備している。
【００１４】
なお、以上の実施例は本考案の実施範囲を限定するものではなく、本考案に基づきなしうる細部の修飾或いは改変は、いずれも本考案の請求範囲に属するものとする。
【００１５】
【考案の効果】
本考案は一種のタブレットとカードリーダー及びＵＳＢハブを結合させた装置を提供し、それはタブレット、カードリーダー及びＵＳＢハブの三者を整合させた結合装置とされ、使用者がこれら三種類の電子製品を購入したい時、低価格で三者の結合装置を購入できるように、さらに体積の小さい一体式装置として形成され、使用者の携帯に便利とされ、使用時に三者がいずれもＵＳＢインタフェースを使用し、且つ僅かに一つのＵＳＢプラグが延伸されているだけのため、コンピュータ後方に挿入された時、コンピュータＵＳＢ連接ポートに挿入される数量を減らせ、並びに三者を駆動して動作させられ、周知の独立製品を個別に挿入する時間と駆動時間を節約できるものとされる。
【図面の簡単な説明】
【図１】本考案のタブレットとカードリーダー及びＵＳＢハブを結合させた装置の斜視図である。
【図２】本考案のタブレットとカードリーダー及びＵＳＢハブを結合させた装置の機能ブロック図である。
【図３】本考案のＵＳＢハブの第１の詳細な電気回路図である。
【図４】本考案のＵＳＢハブの第２の詳細な電気回路図である。
【図５】本考案のカードリーダーの第１の詳細な電気回路図である。
【図６】本考案のカードリーダーの第２の詳細な電気回路図である。
【図７】本考案のタブレットの第１の詳細な電気回路図である。
【図８】本考案のタブレットの第２の詳細な電気回路図である。
【符号の説明】
２　ＵＳＢハブ
３　タブレット
４　カードリーダー
５　コンピュータ
１０　ケース
１１　タブレット
１２　ライトペン
１３　ＵＳＢソケット
１４　カードリーダースロット
１５　ＵＳＢプラグ
２１　内接ポート
２２　外接ポート
【図１】
0003097031.tif 000003
【図２】
0003097031.tif 000004
【図３】
0003097031.tif 000005
【図４】
0003097031.tif 000006
【図５】
0003097031.tif 000007
【図６】
0003097031.tif 000008
【図７】
0003097031.tif 000009
【図８】
0003097031.tif 000010
【手続補正書】
【提出日】平成15年6月25日(2003.6.25)
【手続補正１】
【補正対象書類名】明細書
【補正対象項目名】請求項２
【補正方法】変更
【補正の内容】
【請求項２】
請求項１に記載のタブレットとカードリーダー及びＵＳＢハブを結合させた装置において、該カードリーダーが複数種類のメモリカードの挿入に供されることを特徴とする、タブレットとカードリーダー及びＵＳＢハブを結合させた装置。
【手続補正２】
【補正対象書類名】明細書
【補正対象項目名】請求項７
【補正方法】変更
【補正の内容】
【請求項７】
請求項６に記載のカードリーダーとＵＳＢハブを結合させた装置において、該カードリーダーが複数種類のメモリカードの挿入に供されることを特徴とする、カードリーダーとＵＳＢハブを結合させた装置。
【手続補正３】
【補正対象書類名】明細書
【補正対象項目名】０００９
【補正方法】変更
【補正の内容】
【０００９】
【課題を解決するための手段】
請求項１の考案は、タブレットとカードリーダー及びＵＳＢハブを結合させた装置において、該タブレットとカードリーダー及びＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該カードリーダーは、ケースに設置された少なくとも一つのスロットを具え、該スロットにメモリカードが挿入され、且つ電気的連接端がＵＳＢハブにビルトインされた拡充ソケットに挿入され、
該タブレットは、該結合装置のケース上面に設置され、電気的連接端がＵＳＢハブにビルトインされた拡充ソケットに挿入され、
以上を特徴とする、タブレットとカードリーダー及びＵＳＢハブを結合させた装置としている。
請求項２の考案は、請求項１に記載のタブレットとカードリーダー及びＵＳＢハブを結合させた装置において、該カードリーダーが複数種類のメモリカードの挿入に供されることを特徴とする、タブレットとカードリーダー及びＵＳＢハブを結合させた装置としている。
請求項３の考案は、請求項１に記載のタブレットとカードリーダー及びＵＳＢハブを結合させた装置において、タブレットがライトライトペンと組み合わされ、使用者による手書き入力に供されることを特徴とする、タブレットとカードリーダー及びＵＳＢハブを結合させた装置としている。
請求項４の考案は、タブレットとＵＳＢハブを結合させた装置において、
該タブレットとＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該タブレットは、該結合装置のケース上面に設置され、電気的連接端がＵＳＢハブにビルトインされた拡充ソケットに挿入され、
以上を特徴とする、タブレットとＵＳＢハブを結合させた装置としている。
請求項５の考案は、請求項４に記載のタブレットとＵＳＢハブを結合させた装置において、タブレットがライトライトペンと組み合わされ、使用者による手書き入力に供されることを特徴とする、タブレットとＵＳＢハブを結合させた装置としている。
請求項６の考案は、カードリーダーとＵＳＢハブを結合させた装置において、該カードリーダー及びＵＳＢハブが共同のケース内部に設置されて一体式の装置とされ、
該ＵＳＢハブがＵＳＢプラグを利用してコンピュータに設置されたＵＳＢ連接ポートに連接され、且つ該ＵＳＢハブに複数のＵＳＢインタフェース拡充ソケットが設けられ、
該カードリーダーは、ケースに設置された少なくとも一つのスロットを具え、該スロットにメモリカードが挿入され、且つ電気的連接端がＵＳＢハブにビルトインされた拡充ソケットに挿入され、
以上を特徴とする、カードリーダーとＵＳＢハブを結合させた装置としている。
請求項７の考案は、請求項６に記載のカードリーダーとＵＳＢハブを結合させた装置において、該カードリーダーが複数種類のメモリカードの挿入に供されることを特徴とする、カードリーダーとＵＳＢハブを結合させた装置としている。